(57)【特許請求の範囲】
【請求項１】
上部および下部にそれぞれ開口が形成されたケースと、このケースの上部開口を塞ぐ長手状の透明カバーと、上記下部開口を塞ぐようにして取り付けられるとともに複数の受光素子および複数の発熱素子のそれぞれが搭載された基板と、を備えており、上記透明カバーに密着させて搬送される読み取り原稿に光源からの光を照射し、原稿からの反射光を上記複数の受光素子において受光する一方、上記複数の発熱素子のうちの適宜の発熱素子を発熱させることによって記録紙に画像を形成する画像読み書き一体ヘッドであって、
上記基板は、幅方向の一側部よりの部位が上記ケースからはみ出すようにして上記ケースの下部に取り付けられており、このはみ出した部位における上面に、上記各発熱素子が長手状に延びるようにして列状に搭載されており、かつ、
上記基板における上記発熱素子の列よりも他側部よりの部位の上面に、複数の受光素子が長手状に延びるようにして列状に搭載されていることを特徴とする、画像読み書き一体ヘッド。
【請求項２】
上記光源は、上記基板における上記受光素子の列よりも幅方向の他側部よりの部位の上面に搭載されている、請求項１に記載の画像読み書き一体ヘッド。
【請求項３】
上記透明カバーは、上記基板における幅方向の一側部に向かう方向ほど、上記基板からの距離が大きくなる傾斜状に配置されている、請求項１または２に記載の画像読み書き一体ヘッド。
【請求項４】
上記ケースにおける上記基板の一側よりの側面は、その上端部が下端部よりも上記基板の他側部に向かう方向側に変移している、請求項１ないし３のいずれかに記載の画像読み書き一体ヘッド。
【請求項５】
上記ケース内における上記透明カバーと上記受光素子の列との間には、原稿からの反射光を各受光素子上に集束するための光学レンズが配置されており、この光学レンズは、上記基板の幅方向の他側部に向かう方向側に傾倒した状態で上記ケース内に配置されている、請求項１ないし４のいずれかに記載の画像読み書き一体ヘッド。
【請求項６】
請求項１ないし５のいずれかに記載した画像読み書き一体ヘッドを備えたことを特徴とする、画像処理装置。
【請求項７】
所定の筐体内に、上記画像読み書き一体ヘッドが組み込まれており、かつ、上記透明カバーに密着させて読み取り原稿を搬送するための原稿用プラテンローラと、上記発熱素子の列に密着させて記録紙を搬送するための記録紙用プラテンローラとをさらに備えている、請求項６に記載の画像処理装置。
【請求項８】
上記筐体は、この筐体に形成された開口を介して筐体の内部が臨む開放状態と、上記開口が閉塞された閉鎖状態とを選択可能とする開閉自在な蓋体をさらに有している、請求項７に記載の画像処理装置。
【請求項９】
上記画像読み書き一体ヘッドは、上記筐体に形成された上記開口を介して外部に臨むようにして上記筐体内に組み込まれている、請求項８に記載の画像処理装置。
【請求項１０】
上記画像読み書き一体ヘッドは、その幅方向の一側部または他側部もしくはこれらの近傍を支点として上記筐体に対して相対的に回動可能とすることにより、上記透明カバーが上記原稿用プラテンローラに対して当接する状態と離間する状態とを選択可能とした、請求項６ないし９のいずれかに記載の画像処理装置。
【請求項１１】
上記画像読み書き一体ヘッドは、上記記録紙用プラテンローラの回転軸を支点として回動可能とされている、請求項１０に記載の画像処理装置。
【請求項１２】
上記画像読み書き一体ヘッドの一側部よりの部位には、上記記録紙用プラテンローラ側に突出するとともに、上記記録紙用プラテンローラの回転軸側に開放した切欠を有するフランジ片が形成されており、かつ上記切欠内に上記回転軸が遊挿されることにより、上記読み書き一体ヘッドが上記回転軸を支点として回動可能となるように上記筐体内に組み込まれている、請求項１１に記載の画像処理装置。
【請求項１３】
上記画像読み書き一体ヘッドは、その幅方向の一側部および／または他側部が上記各プラテンローラに対して相対的に上記画像読み書き一体ヘッドの厚み方向に移動可能とされている、請求項６ないし１２のいずれかに記載の画像処理装置。
【請求項１４】
上記原稿用プラテンローラが上記透明カバーを押圧する力および上記記録紙用プラテンローラが上記発熱素子を押圧する力のそれぞれを所望のものとする押圧力調整手段をさらに備える、請求項６ないし１３のいずれかに記載の画像処理装置。
【請求項１５】
上記押圧力調整手段は、上記基板を上記各プラテンローラ側に押圧する押圧部材を有している、請求項１４に記載の画像処理装置。
【請求項１６】
上記押圧部材は、上記基板の幅方向におけるそれぞれの端部よりの部位を押圧するようにして上記基板の幅方向に２つ配置されている、請求項１５に記載の画像処理装置。
【請求項１７】
上記押圧部材は、上記基板における幅方向の両端部にそれぞれ所望の割合で力が作用するように選択された上記基板の所定の部位を押圧するようにして上記基板の幅方向に１つ配置されている、請求項１５に記載の画像処理装置。
【請求項１８】
上記押圧部材は、弾性部材によって構成されている、請求項１５ないし１７のいずれかに記載の画像処理装置。
【請求項１９】
上記画像読み書き一体ヘッドは、上記蓋体に一体的に取り付けられている、請求項８または９に記載の画像処理装置。
【発明の詳細な説明】
【０００１】
【発明の属する技術分野】
本願発明は、画像読み取り機能と、熱転写方式または感熱方式による画像形成機能を併せ持つ画像読み書き一体ヘッド、およびこれを備えた画像処理装置に関する。
【０００２】
【従来の技術】
ファクシミリ装置などの画像処理装置においては、画像読み取り機能と画像形成機能とを併せ持つ必要があり、また、画像処理装置の小型化の要請にも応える必要があることから、画像読み取りと画像形成の双方を行うことができる画像読み書き一体ヘッドが提案されている。この種の画像読み書き一体ヘッドとしては、図１６に示すような構成のものがある。この図に示された画像読み書き一体ヘッドＹは、上部開口１０が形成され、この上記開口１０に透明カバー２が嵌め込まれたケース１を有し、このケース１の内部には、上記透明カバー２に設定される読み取りラインＬを照明するための光源３が配置されている。そして、上記ケース１の下部にはさらに、長手状に形成された基板４が取り付けられており、この基板４の上面４Ａおよび下面４Ｂには、長手方向に列状に並ぶようにして複数個の受光素子４ａおよび複数個の発熱素子４ｂがそれぞれ搭載されている。
【０００３】
このように構成された画像読み書き一体ヘッドＹを備えた画像処理装置では、原稿送り用のプラテンローラＰ1 の回転によって上記透明カバー２に密着して読み取り原稿Ｄが搬送されるが、この過程において原稿Ｄが上記光源３からの光によって照明される。そして、原稿Ｄからの反射光は、上記読み取りラインＬと上記各受光素子４ａの間に配置された集光レンズ５によって集光され、原稿Ｄの画像が上記受光素子４ａの列上に結像される。これにより原稿Ｄの画像データが得られる。一方、記録紙送り用のプラテンローラＰ2 の回転によって記録紙Ｋが上記各発熱素子４ｂに密着して搬送されるが、この過程において原稿Ｄの画像データに基づいて選択された適宜の発熱素子４ｂを発熱させることによって記録紙Ｋに画像が形成される。
【０００４】
【発明が解決しようとする課題】
しかしながら、上記画像読み書き一体ヘッドＹでは、基板４の上面４Ａ側に各受光素子４ａが搭載されている一方で、基板４の下面４Ｂ側に各発熱素子４ｂが搭載されているため、以下に述べるような不具合が生じる。
【０００５】
すなわち、第１に、上記基板４に上記各受光素子４ａおよび発熱素子４ｂを搭載する場合には、たとえば基板４の上面４Ａ側に各受光素子４ａを搭載した後に基板４の表裏を逆転させてから基板４の下面４Ｂ側に各発熱素子４ｂを搭載しなければならない。このように、基板４に各種の処理を施すためには、基板４の上下の面４Ａ，４Ｂのそれぞれに処理を行わなければならず、基板４の一面側にのみ各種の処理を施す場合と比較すれば格段に作業効率が悪い。
【０００６】
第２に、上記画像読み書き一体ヘッドＹでは、上記ケース１の上部開口１０に嵌め込まれた透明カバー２に密着して原稿Ｄが搬送される一方で、上記基板４の下面４Ｂに搭載された各発熱素子４ｂに密着して記録紙Ｋが搬送されるようになされている。つまり、上記画像読み書き一体ヘッドＹを備えた画像処理装置では、原稿送り用のプラテンローラＰ1 が上記画像読み書き一体ヘッドＹの上部に配置される一方で、記録紙送り用のプラテンローラＰ2 が上記画像読み書き一体ヘッドＹの下部に配置されることになる。したがって、上記画像処理装置では、各プラテンローラＰ1 ，Ｐ2 の配置の都合上から、上下寸法を小さくして画像処理装置全体としての小型化を図るのが困難であった。
【０００７】
本願発明は、上記した事情のもとで考え出されたものであって、コスト的に有利に製造でき、画像処理装置の小型化を実現することができるようにすることをその課題としている。
【０００８】
【発明の開示】
上記の課題を解決するため、本願発明では、次の技術的手段を講じている。
【０００９】
すなわち、本願発明の第１の側面により提供される画像読み書き一体ヘッドは、上部および下部にそれぞれ開口が形成されたケースと、このケースの上部開口を塞ぐ長手状の透明カバーと、上記下部開口を塞ぐようにして取り付けられるとともに複数の受光素子および複数の発熱素子のそれぞれが搭載された基板と、を備えており、上記透明カバーに密着させて搬送される読み取り原稿に光源からの光を照射し、原稿からの反射光を上記複数の受光素子において受光する一方、上記複数の発熱素子のうちの適宜の発熱素子を発熱させることによって記録紙に画像を形成する画像読み書き一体ヘッドであって、上記基板は、幅方向の一側部よりの部位が上記ケースからはみ出すようにして上記ケースの下部に取り付けられており、このはみ出した部位における上面に、上記各発熱素子が長手状に延びるようにして列状に搭載されており、かつ、上記基板における上記発熱素子の列よりも他側部よりの部位の上面に、複数の受光素子が長手状に延びるようにして列状に搭載されていることを特徴としている。なお、受光素子などが搭載される基板とは別体として形成された基板上に上記光源を搭載し、これを上記ケース内に組み込んでもよいし、また受光素子などが搭載された基板上に上記光源を搭載し、これを上記ケース内に組み込んでもよい。この場合には、好ましくは上記基板における上記受光素子の列よりも幅方向の他側部よりの部位の上面に上記光源が搭載される。
【００１０】
上記画像読み書き一体ヘッドおいては、上記各受光素子および各発熱素子が上記基板における同一面（上面）上に搭載されており、好ましくは上記光源も上記基板における同一面上に搭載される。このように、上記画像読み書き一体ヘッドでは、従来のように上記基板の表裏を逆転させずとも、上記基板に各受光素子および各発熱素子を搭載することができ、さらに光源を搭載することもできる。また、上記各発熱素子を駆動するための駆動ＩＣや所定の配線パターンなどを上記基板上に搭載し、形成する必要があるが、上記各受光素子および各発熱素子が同一面上に搭載されていることから、駆動ＩＣや配線パターンも上記基板における同一面上に搭載され、形成される。このように、上記画像読み書き一体ヘッドでは、上記基板の同一面に対して各種の処理を施したものを採用することができるため、従来に比べて画像読み書き一体ヘッドの製造効率の改善が図られる。
【００１１】
また、上記構成の画像読み書き一体ヘッドを画像処理装置に組み込んだ場合には、上記透明カバーに密着させて原稿を搬送させるための原稿用プラテンローラが上記透明カバー（ケース）の上方に配置される一方、上記基板の上面に搭載された発熱素子の列に密着させて記録紙を搬送させるための記録紙用プラテンローラが、上記基板のはみ出した部位の上方（ケースの側方）に配置されることになる。このため、本願発明の画像読み書き一体ヘッドを組み込んだ画像処理装置では、記録紙用プラテンローラが上記ケースの側方に配置されているので、従来のような上記ケースの上方および下方に原稿送り用および記録紙用プラテンローラがそれぞれ配置された構成と比較すれば、画像処理装置の厚み方向の寸法を格段に小さくすることができる。
【００１２】
好ましい実施の形態においては、上記透明カバーは、上記基板における幅方向の一側部に向かう方向ほど、上記基板からの距離が大きくなる傾斜状に配置されている。
【００１３】
上記画像読み書き一体ヘッドでは、上記透明カバーが上記基板の一側部に向かう方向ほど、上記基板からの距離が大きくなるように傾斜して配置されている。すなわち、上記透明カバーは、記録紙用プラテンローラ側（基板の一側部に向かう方向側）の方が、上記基板の他側部側方向よりも高くなるようになされている。このような構成では、上記透明カバーが上記基板に対して平行とされた構成よりも、原稿用プラテンローラの回転中心（回転軸）が、記録紙用プラテンローラからより大きく退避することになる。すなわち、本願発明の画像読み書き一体ヘッドでは、原稿用プラテンローラと記録紙用プラテンローラとの距離を大きく確保することができる。このようにして上記各プラテンローラの距離を大きく設定できれば、たとえ原稿送りと記録紙送りとを同時に行ったとしても、原稿と記録紙とが互いに干渉して原稿送りや記録紙送りがスムースに行えないといった事態は生じにくくなるといった利点が得られる。
【００１４】
好ましい実施の形態においてはさらに、上記ケースにおける上記基板の一側よりの側面は、その上端部が下端部よりも上記基板の他側部に向かう方向側に変移している。
【００１５】
上記構成では、上記ケースにおける基板の一側よりの側面の上端部が下端部よりも上記基板の他側部に向かう方向側に変移するようにして上記ケースの形状が設計されている。すなわち、上記ケースの形状を工夫することによって、上記ケースの上端部が、記録紙用プラテンローラが配置される上記基板の一側部から退避するようになされている。上記ケースの上端部には、上記透明カバーが配置されることから、結局、上記透明カバー、ひいては原稿用プラテンローラが記録紙用プラテンローラから退避するようになされている。したがって、このような構成においても、原稿用プラテンローラと記録紙用プラテンローラとの距離を大きく確保することができる。
【００１６】
好ましい実施の形態においてはさらに、上記ケース内における上記透明カバーと上記受光素子の列との間には、原稿からの反射光を各受光素子上に集束するための光学レンズが配置されており、この光学レンズは、上記基板の幅方向の他側部に向かう方向側に傾倒した状態で上記ケース内に配置されている。
【００１７】
上記画像読み書き一体ヘッドにおいては、原稿の読み取りライン（透明カバー）と受光素子の間に上記光学レンズが配置されている。言い換えれば、上記受光素子と光学レンズとを結ぶ直線上に読み取りラインが設定され、同直線上に原稿用プラテンローラが配置される。このため、上記光学レンズが上記基板の幅方向の他側部に向かう方向側に傾倒した構成では、上記受光素子の直上よりも上記基板の幅方向の他側部側に変移した部位に読み取りラインが設定され、原稿用プラテンローラが配置されることになる。上述したように、上記基板の幅方向の一側部よりの部位が上記ケースからはみ出し、このはみ出し部分の上面に各発熱素子が形成された構成では、記録紙用プラテンローラが上記ケースの側方に配置されることから、原稿用プラテンローラと記録紙用プラテンローラとが比較的離間して配置されることになる。したがって、この画像読み書き一体ヘッドにおいても、上記各プラテンローラの間の距離を大きく確保して、原稿と記録紙とが互いに干渉することなく、スムースに原稿送りや記録紙送りを行うことができるようになる。
【００１８】
また、上記光学レンズを傾斜状とすれば、上記ケースの厚み寸法を大きくすることなく読み取りラインと上記受光素子との距離（原稿からの反射光の光路長）を大きく確保することができ、読み取り画像の質を高めることができるといった利点が得られる。
【００１９】
本願発明の第２の側面により提供される画像処理装置は、上述した第１の側面において記載した画像読み書き一体ヘッドを備えたことを特徴としており、好ましくは、所定の筐体内に、上記画像読み書き一体ヘッドが組み込まれており、かつ、上記透明カバーに密着させて読み取り原稿を搬送するための原稿用プラテンローラと、上記発熱素子の列に密着させて記録紙を搬送するための記録紙用プラテンローラとをさらに備えていることを特徴としている。
【００２０】
上記画像処理装置においては、上述した第１の側面において記載された画像読み書き一体ヘッドを備えていることから、上述した第１の側面において記載した画像読み書き一体ヘッドの利点を享受することができる。すなわち、上記画像処理装置の厚み寸法を小さくしつつ、原稿と記録紙を干渉させることなくこれらを同時に搬送することができ、また読み取りラインと受光素子との間を比較的に大きく確保して読み取り画像の質を高めることができるといった利点を享受することができる。
【００２１】
好ましい実施の形態においては、上記筐体は、この筐体に形成された開口を介して筐体の内部が臨む開放状態と、上記開口が閉塞された閉鎖状態とを選択可能とする開閉自在な蓋体をさらに有している。
【００２２】
上記構成によれば、上記開口が開放した状態を選択すれば上記筐体の内部が臨んでいることから、上記開口から筐体内に組み込まれた各種の装置や部材などの交換や修理を容易に行うことができる。
【００２３】
好ましい実施の形態においてはさらに、上記画像読み書き一体ヘッドは、上記筐体に形成された上記開口を介して外部に臨むようにして上記筐体内に組み込まれており、この場合には、上記画像読み書き一体ヘッドを、その幅方向の一側部または他側部もしくはこれらの近傍を支点として上記筐体に対して相対的に回動可能とすることにより、上記透明カバーが上記原稿用プラテンローラに対して当接する状態と離間する状態とを選択可能とするのが好ましい。
【００２４】
上記記録紙としては、カット紙あるいはロール状とされた連続紙（ロール紙）のいずれでもよいが、一般家庭においては汎用されている画像処理装置ではロール紙が使用されることが多い。ロール紙を採用した画像処理装置では、上記画像読み書き一体ヘッド（発熱素子の列）の近傍にロール紙が配置されることが多いことから、上記蓋体を開けることによってロール紙が臨むように構成することもできる。この場合には、上記蓋体を開けるといった簡易な作業によってロール紙の交換を行うことができる。また、上記蓋体を開けた状態において、上記画像読み書き一体ヘッドによってロール紙が隠されてしまうような場合であっても、上記画像読み書き一体ヘッドが回動自在とされていれば上記画像読み書き一体ヘッドを回動させることによってロール紙の交換を容易に行うことができる。もちろん、紙詰まりなどが生じた場合にも、上記蓋体を開けることによって、あるいはさらに上記画像読み書き一体ヘッドを回動させることによって容易に対応することができる。
【００２５】
好ましい実施の形態においては、上記画像読み書き一体ヘッドは、上記記録紙用プラテンローラの回転軸を支点として回動可能とされる。たとえば、上記画像読み書き一体ヘッドの一側部よりの部位に、上記記録紙用プラテンローラ側に突出するとともに、上記記録紙用プラテンローラの回転軸側に開放した切欠を有するフランジ片を形成し、上記切欠内に上記回転軸が遊挿した状態で上記画像読み書き一体ヘッドを上記筐体内に組み込むことによって上記画像読み書き一体ヘッドが上記筐体に対して上記回転軸を支点として相対的に回動可能な構成が採用される。この構成では、上記画像読み書き一体ヘッドを回動させるための回動軸を上記記録紙用プラテンローラの回転軸が兼ねていることから、回動軸を別途設ける必要はなく、コスト的にも、上記筐体内のレイアウト的にも有利である。
【００２６】
好ましい実施の形態においてはさらに、上記画像読み書き一体ヘッドは、その幅方向の一側部および／または他側部が上記各プラテンローラに対して相対的に上記画像読み書き一体ヘッドの厚み方向に移動可能とされている。
【００２７】
この構成では、上記画像読み書き一体ヘッドの幅方向の一側部および／または他側部がそれぞれのプラテンローラに対して相対的に進退可能とされている。たとえば、上記画像読み書き一体ヘッドの幅方向の一側部および／または他側部を上記画像読み書き一体ヘッドの厚み方向に適宜移動させることによって、あるいは上記各プラテンローラを上記画像読み書き一体ヘッドの厚み方向に移動させることによって上記画像読み書き一体ヘッドの幅方向の一側部および／または他側部がそれぞれのプラテンローラに対して相対的に進退可能とされている。言い換えれば、上記透明カバーに対する上記原稿用プラテンローラの押圧力や上記発熱素子の列に対する上記記録紙用プラテンローラの押圧力を、適宜の手段（押圧力調整手段）を採用することによって所望のものとすることができる。
【００２８】
本願発明の画像処理装置においては、画像形成方式としていわゆる感熱方式あるいは熱転写方式が採用されていることから、記録紙を良好に上記発熱素子の列に押圧する必要があるため、上記記録紙用プラテンローラを上記発熱素子の列に対して比較的に大きな力（たとえば２ｋｇ重）で押圧する必要がある。一方、原稿を余りに大きな力で上記透明カバーに密着させて搬送すれば透明カバーに傷がつくなどの弊害が生じることから、原稿用プラテンローラは、上記透明カバーをさほど大きな力で押圧する必要はなく、その押圧力はたとえば０．５ｋｇ重とされる。このように、上記各プラテンローラによって透明カバーあるいは発熱素子の列を押圧する力をそれぞれ同一なものとするよりもむしろ、積極的に異なったものとされることから、上記画像読み書き一体ヘッドの幅方向の端部を厚み方向に移動可能として各プラテンローラの透明カバーや発熱素子の列に対する押圧力を所望のものとできることによる利点は大きい。
【００２９】
上記押圧力調整手段としては、上記基板を上記各プラテンローラ側に押圧する押圧部材を有するものが好適に採用される。
【００３０】
上記押圧部材は、たとえば上記蓋体に一体的に取り付けられ、あるいは上記画像読み書き一体ヘッドの基板の裏面側から突出状に取り付けられるが、これを構成する素材や大きさあるいは配置部位などを適宜選択することによって各プラテンローラが透明カバーや発熱素子の列を押圧する力を所望のものとすることができる。すなわち、たとえば上記押圧部材を、上記基板の幅方向におけるそれぞれの端部よりの部位を押圧するようにして上記基板の幅方向に２つ配置してもよく、また上記基板における幅方向の両端部にそれぞれ所望の割合で力が作用するように選択された上記基板の幅方向における所定の部位を押圧するようにして上記基板の幅方向に１つ配置してもよい。もちろん、上記基板の長手方向に配置される押圧部材の個数に特に限定はなく、１個でも複数個でもよい。
【００３１】
前者の場合には、上記基板の幅方向における両端部のそれぞれを押圧するようにして上記押圧部材が配置されていることから、たとえば各押圧部材の弾性率（硬さ）や大きさ（たとえば長さ）を適宜選択すれば上記基板の両端部をそれぞれ所望の力で押圧することができる。後者の場合には、主に上記押圧部材による押圧部位を選択することによって上記基板の両端部をそれぞれ所望の力で押圧することができる。たとえば、上記基板の幅方向における他側部に作用させる力を１とし、基板の一側部に作用させる力を４とする場合には、上記基板の幅方向の一側部からみて上記基板を１対４に内分する部位を押圧するようにして上記押圧部材が配置される。
【００３２】
なお、上記押圧部材は、好ましくは弾性部材によって構成される。この弾性部材としては、たとえばコイルバネ、板バネ、あるいはゴム、ウレタン、発泡プラスチックなどのエラストマーなどが挙げられる。
【００３３】
好ましい実施の形態においてはまた、上記画像読み書き一体ヘッドは、上記蓋体に一体的に取り付けられている。この構成では、上記蓋体を開ければ上記画像読み書き一体ヘッドを上記筐体から取り除いた状態での筐体内部が臨むことになる。したがって、記録紙としてロール状とされたものが用いられ、この記録紙ロールが上記画像読み書き一体ヘッドに隣接して配置されている場合には、上述した画像読み書き一体ヘッドが回動自在とされた構成と同様に記録紙ロールを交換を容易に行うことができ、また紙詰まりに容易に対応できるといった利点がある。
【００３４】
本願発明のその他の特徴および利点は、添付図面を参照して以下に行う詳細な説明によって、より明らかとなろう。
【００３５】
【発明の実施の形態】
以下、本願発明の好ましい実施の形態を、図面を参照して具体的に説明する。
【００３６】
図１は、本願発明に係る画像読み書き一体ヘッドの分解斜視図であり、図２は、上記画像読み書き一体ヘッドの断面図である。なお、これらの図において、従来例を説明するために参照した図面に表されていた部材および部分などと同等なものには同一の符号を付してある。
【００３７】
図１および図２に示したように、上記画像読み書き一体ヘッドＸは、上下に開口１０，１５が形成されたケース１と、ガラス板など透明カバー２と、長矩形状の基板４と、細長状とされたレンズアレイ５（光学レンズ）とを備えて大略構成されている。
【００３８】
上記ケース１は、主走査方向に長手状に延びるようにして上記各開口１０，１５に繋がる内部空間１２が形成されて、全体として一定方向に延びた細長な箱状とされている。そして、上記ケース１の長手状の１つの側面１ａがテーパ状に形成されて、上記ケース１の上部に向かうほど幅細となるような形状とされている。また、上記側面１ａ側の上下寸法が大きくなされて上部開口面が傾斜している。上記ケース１にはさらに、上記内部空間１１に併設して上記上部開口１０に繋がる長手状の嵌合溝１６が形成されており、この嵌合溝１６の下方には、この嵌合溝１６および上記下部開口１５のそれぞれと繋がる空間室１１が形成されている。
【００３９】
このような形状のケース１は、たとえばポリカーボネイトに酸化チタンを含有させた白色系の樹脂材料を用いた金型成形によって形成されており、このケース１の表面の各所は光の反射率の高い（光反射率が９７％ないし９８％程度）白色系とされている。すなわち、上記内部空間１２の内壁面１２ａ，１２ｂも光反射率の高い反射面とされている。この内部空間１２は、光源３から発せられた光が進行する空間であり、この内部空間１２を進行する光は上記内壁面１２ａ，１２ｂにおいて反射しつつ進行する。このため、上記内壁面１２ａ，１２ｂが光反射率の高いものとされていれば、光源３から発せられた光を上記内壁面１２ａ，１２ｂにおいて高い反射率で反射させながら、それらの光を読み取りラインＬに効率良く導くことができ、光源３から発せられた光が進行する際の光のロスを少なくすることができる。
【００４０】
上記空間室１１には、黒色の樹脂によって形成された黒色部材６が設けられており、これによって上記空間室１１の内壁面１１ａが上記黒色部材６によって覆われた恰好とされている。この黒色部材６は、一定方向に延びる細長状とされており、その一般断面は下向きに開放した略コの字状とされている。すなわち、それぞれ長さの異なる左右２つの立ち上がり部６１，６２と、これらの立ち上がり部６１，６２を繋ぐテーパ状の基部６０とを有している。また、上記基部６０には、上記レンズアレイ４を通過した光が上記空間室１１に到達できるように、上下に貫通する貫通孔６３が形成されており、この基部６０にはさらに、上方に突出する突起６４が長手方向に一定間隔で複数設けられている。
【００４１】
このような形状の黒色部材６は、ＡＢＳ樹脂などの黒色の樹脂材料を金型成形するなどして形成されており、その表面の各所は光反射率の極めて低くなるようになされている。このため、上記黒色部材６を設けた場合に形成される上記空間室１１の内壁面６０は、上記黒色部材６によって光反射率の低い光吸収面とされている。なお、この黒色部材６は、上記各突起６４を上記空間室１１の上部に形成された突起に嵌合させることによって装着される。
【００４２】
もちろん、上記光吸収面は、上記空間室１１の内壁面１１ａに塗着形成された黒色系の塗装膜、または上記空間室１１の内壁面１１ａに接着された黒色系のシートもしくはフィルムによって構成することもできる。また、上記ケース１を黒色形の樹脂によって形成した場合には、上記光吸収面６０を別途設ける必要はない。
【００４３】
上記透明カバー２は、上記上部開口１０に嵌め込まれるが、上部開口面が傾斜していることから、上記透明カバー２を嵌め込んだ状態では、上記透明カバー２も傾斜させられている。また、上記画像読み書き一体ヘッドＸを画像処理装置（図示略）に組み込んだ状態では、上記透明カバー２に対向する位置に図示しない駆動力によって回転自在とされたプラテンローラＰ1 が配置される。すなわち、このプラテンローラＰ1 が回転することによって、原稿Ｄが上記透明カバー２と上記プラテンローラＰ1 との間に挟まれた恰好で、上記原稿Ｄが上記透明カバー２に密着した状態で搬送される。なお、上記原稿Ｄの搬送は、上記プラテンローラＰ1 の回転を制御することによって間欠移送および連続移送のいずれをも選択可能であるが、本実施形態ではいずれの移送方法を採用してもよい。
【００４４】
一方、上記ケース１の下部には、上記下部開口１５を塞ぐようにして上記基板４が嵌め込まれているが、この基板４の幅方向の一側部４２側は、平面視において上記ケース１の側部からはみ出すようになされている。
【００４５】
上記基板４のはみ出した部位、すなわち上記基板４の幅方向の一側部４２よりの部位の上面には、長手方向に延びるようにして発熱抵抗体４０が形成されている。一方、上記基板４の他側部４３よりの部位には、複数個の光源３が上記基板４の長手方向に列状に並ぶようにして実装されており、これらの光源３に併設して複数のイメージセンサチップ４ａが列状に実装されている。
【００４６】
上記発熱抵抗体４０は、たとえば酸化ルテニウムなどを導体成分とする厚膜抵抗ペーストを印刷・焼成することによって形成されている。この発熱抵抗体４０は、図示しない個別電極や共通電極などの配線パターンによって電気的に分断されて複数の発熱素子（４ｂ）が列状に形成されたような恰好とされており、各発熱素子４ｂは上記基板４に実装された複数個の駆動ＩＣ８によって個別に発熱駆動させられる。
【００４７】
上記各イメージセンサチップ４ａは、上記基板４を上記ケース１に取り付けた場合には、上記ケース１に形成された空間室１１内に収容されるようになされている。すなわち、上記空間室１１を覆うようにして上記黒色部材６が設けられていることから、上記イメージセンサチップ４ａの列は上記黒色部材６の基部６０および各立ち上がり部６１，６２によって囲まれることになる。上記黒色部材６は、その表面の各所が光の反射率の低い面とされていることから、上記イメージセンサチップ４ａは光吸収面によって囲まれることになる。このため、上記空間室１１内において光が乱反射してしまうといった事態が適切に防止され、乱反射光の多くが上記各イメージセンサチップ４ａに入射してしまうといった事態が回避される。したがって、上記黒色部材６を設けることによって、上記ケース１全体を白色系の樹脂によって形成したことに起因して読み取り画像の解像度が低下したり、あるいは原稿画像の再現性が低下したりすることを回避される。
【００４８】
なお、上記画像読み書き一体ヘッドＸがＡ４幅の原稿Ｄを８ドット／ｍｍの読み取り密度で読み取るように構成されている場合には、１７２８個の受光素子を読み取り幅方向に配置させる必要があるが、たとえば９６個の受光素子を造り込んでイメージセンサチップ４ａを構成すれば、上記基板４上には計１８個のイメージセンサチップ４ａが実装される。
【００４９】
また、上記画像読み書き一体ヘッドＸが、原稿Ｄの画像を白黒に読み取るように構成されている場合には、上記光源３としてはＬＥＤなどが用いられ、また、上記画像読み書き一体ヘッドＸがＡ４幅の原稿Ｄを読み取るように構成されている場合には、上記光源３がたとえば１４個実装される。もちろん、赤色、緑色および青色の光をそれぞれ発するＬＥＤなどの光源を使用して、あるいは白色の光を発する光源を使用して原稿Ｄの画像をカラーに読み取るように構成してもよい。
【００５０】
上記レンズアレイ５は、主走査方向に延びるブロック上のレンズホルダ５０に、複数個のセルフォックレンズ５１を列状に保持させたものである。このレンズアレイ５は、上記ケース１に形成された嵌合溝１６に嵌合保持され、上記透明カバー２に設定された読み取りラインＬとイメージセンサチップ４ａの列との間に配置されている。上記嵌合溝１６は、上記ケース１の主走査方向に延びる長手状に形成されているとともに、テーパ状とされた上記ケース１の側面１に対して断面視において平行状となるようにして形成されている。すなわち、上記嵌合溝１６に上記レンズアレイ５が保持された状態では、上記レンズアレイ５が上記基板の幅方向の他側部４３側に傾倒したような恰好とされている。
【００５１】
このレンズアレイ５においては、透明カバー２に密着させて搬送される原稿Ｄから反射してくる光が上記イメージセンサチップ４ａの列上に集光され、上記各イメージセンサチップ４ａの受光素子には原稿Ｄの画像が正立等倍に結像する。そして、上記レンズアレイ５が傾斜状とされていることから、同じ厚み寸法を有するケース１内に直立状にレンズアレイ５が保持される場合と比較すれば、読み取りラインＬとイメージセンサチップ４ａとの間の距離を大きく確保することができるため、読み取り画像の質を高めることができる。
【００５２】
なお、上記実施形態では、空洞とされた内部空間１２内を光源３から発せられた光が読み取りラインＬに向かって進行するように構成された画像読み書き一体ヘッドＸについて説明したが、上記ケース１の形状を工夫してプラテンローラＰ1 をプラテンローラＰ2 から退避させるといった技術思想は、その他の構成の画像読み書き一体ヘッドＸにも適用することができる。すなわち、図３に示すように、ケース１の内部空間１１内に、上記光源３から発せられた光を読み取りラインＬに効率良く導くための透明の導光部材７が収容された構成の画像読み書き一体ヘッドＸにも適用することができる。
【００５３】
また、図４に示したように、上記透明カバー２を上記基板４に対して平行になるように配置し、上記ケース１におけるプラテンローラＰ2 との対向面１ａをテーパ状に構成した画像読み書き一体ヘッドＸも本願発明の適用範囲である。この場合にも、上記対向面１ａが傾斜しているために上記ケース１の上部（透明カバー）を上記プラテンローラＰ2 から退避させることができる。もちろん、上記ケース１におけるプラテンローラＰ2 との対向面１ａを垂直状にし、上記透明カバー２を傾斜状に配置した構成のものも本願発明の適用範囲である。
【００５４】
以上に説明した画像読み書き一体ヘッドＸは、たとえば所定の筐体内に組み込まれて画像処理装置を構成するが、上記画像処理装置を組み込んだ画像処理装置の一例を図５に示す。
【００５５】
図５に示すように、上記画像処理装置９は、たとえば樹脂製などの筐体９０内に上記画像読み書き一体ヘッドＸがそのケース１が下方に突出するような恰好で組み込まれている。上記筐体９０は、上部に開口９１を有しており、この開口９１を介して筐体９０の内部が臨む開放状態（図５に仮想線で示した状態）と、上記開口が閉塞された閉鎖状態（図５に実線で示した状態）とを選択可能とする開閉自在な蓋体９２をさらに有している。また、上記筐体９０内には、２つのプラテンローラＰ1 ，Ｐ2 が回転自在に配置されており、上記画像読み書き一体ヘッドＸを組み込んだ状態では、一方のプラテンローラＰ1 （原稿用プラテンローラ）が上記画像読み書き一体ヘッドＸの透明カバー２に当接しており、他方のプラテンローラＰ2 （記録紙用プラテンローラ）が画像読み書き一体ヘッドＸの発熱抵抗体４０に当接している。
【００５６】
また、図６および図７に良く表れているように、上記画像読み書き一体ヘッドＸは、上記基板４の長手方向の両端部４２，４３に取り付けられた一対のフランジ片４８介して上記記録紙用プラテンローラＰ2 の回転軸ｐを支点として回動可能とされている。上記各フランジ片４８は、Ｌ字状に屈曲形成されており、その先端部４８Ａに切欠４８Ａが形成されている。このような構成のフランジ片４８は、その基端部４８Ｂが上記基板４の幅方向の一側部４２における長手方向のそれぞれの端部に接合されて、上記各フランジ片４８の先端部４８Ａ側が上記基板４から上記記録紙用プラテンローラＰ2 側に突出した恰好とされている。そして、上記各フランジ片４８のそれぞれの切欠４８ａ内に上記録紙用プラテンローラＰ2 の回転軸ｐが遊挿されて上記各フランジ片４８幅方向の移動が制限された恰好で筐体９０内に画像読み書き一体ヘッドＸが組み込まれている。これにより、画像読み書き一体ヘッドＸが上記回転軸ｐを支点として回動可能とされている。
【００５７】
また、上記画像読み書き一体ヘッドＸに何らの外力を加えていない状態では、上記画像読み書き一体ヘッドＸは自重のみによって上記各プラテンローラＰ1 ，Ｐ2 に当接した恰好とされており、本願発明では、この状態において上記回転軸ｐが上記各切欠４８ａの最深部に達しないようになされている（図６および図７参照）。このため、上記基板４（画像読み書き一体ヘッドＸ）の幅方向の一側部４２が上記記録紙用プラテンローラＰ2 に対して退避可能とされているのはもちろんのこと、上記各切欠４８ａの最深部に達するまで上記記録紙用プラテンローラＰ2 側に近づくことができ、結局、上記基板４の一側部４２が上記基板４の厚み方向に移動可能とされている。そして、上記画像読み書き一体ヘッドＸが上記記録紙用プラテンローラＰ2 の回転軸ｐを支点として回動自在とされていることから、上記基板４（画像読み書き一体ヘッドＸ）の幅方向の他側部４３が上記原稿用プラテンローラＰ1 に対して退避可能とされている。また、上記基板４の他側部４３は、上記原稿用プラテンローラＰ1 の表面の弾性によってある程度は他側部４３が上記原稿用プラテンローラＰ1 側に近づくことができる。このように、上記基板４（画像読み書き一体ヘッドＸ）は、幅方向の一側部４２および他側部４３が各プラテンローラＰ1 ，Ｐ2 に対して進退可能とされている。
【００５８】
なお、上記記録紙用プラテンローラＰ2 および／または原稿用プラテンローラＰ1 を画像処理装置９の厚み方向に上下動可能とし、これにより上記基板４（画像読み書き一体ヘッドＸ）の一側部および／または他側部を上記記録紙用プラテンローラＰ2 および／または原稿用プラテンローラＰ1 に対して相対的に進退可能なように構成してもよい。
【００５９】
このようにして画像読み書き一体ヘッドＸの幅方向の一側部４２および他側部４３が厚み方向に移動可能とされていることから、上記基板４の裏面側から外力作用させることによって上記原稿用プラテンローラＰ1 が透明カバー２を押圧する力や上記記録紙用プラテンローラＰ2 が発熱抵抗体４０を押圧する力を容易に調整して所望のものとすることができる。本実施形態では、コイルバネにより構成された押圧部材７１，７２によって各プラテンローラＰ1 ，Ｐ2 が透明カバー２や発熱抵抗体４０を押圧する力を調整している。
【００６０】
上記各押圧部材７１，７２は、たとえば上記蓋体９２に一体的に設けられ、あるいは上記基板４の裏面側に一体的に設けられて、上記蓋体９２を閉じた状態において上記各押圧部材７１，７２によって上記基板４の裏面側から上記画像読み書き一体ヘッドＸを各プラテンローラＰ1 ，Ｐ2 に圧し付けるような恰好としている。具体的には、上記基板４の幅方向には２つの押圧部材７１，７２が設けられ、これらの押圧部材７１，７２が上記基板４の幅方向の両端部４２，４３からそれぞれ押圧するようにして配置されている。上記基板４の長手方向に関しては、上記各押圧部材７１，７２の配置個数は特に限定されず、適宜その配置個数を選択すればよい。また、上記各プラテンローラＰ1 ，Ｐ2 が透明カバー２や発熱抵抗体４０を押圧する力の調整は、上記各押圧部材７１，７２の長さや硬さ（たとえばバネ定数）を適宜選択することによって、あるいは押圧部材７１，７２の配置を選択することによって行われる。上記したように、上記発熱抵抗体４０には上記透明カバー２よりも大きな力で記録紙用プラテンローラＰ2 を押圧する必要があることから、上記記録紙用プラテンローラＰ2 側（基板４の一側部４２側）を押圧する押圧部材７１は、原稿用プラテンローラＰ1 （基板４の他側部４３側）を押圧する押圧部材７２よりもバネ定数が大きい（硬い）あるいは長いコイルバネが用いられる。このように、上記構成では、上記蓋体９２を閉じておくといった通常の使用状態において、各プラテンローラＰ1 ，Ｐ2 が上記透明カバー２や上記発熱抵抗体４０を押圧する力が所望のものとなるようになされている。
【００６１】
なお、上記各押圧部材７１，７２を構成する材料としては、コイルバネの以外の弾性部材、たとえば板バネ、あるいはゴム、ウレタン、発泡プラスチックなどのエラストマーなどが好適に使用される。もちろん、図８に示したように、押圧部材７３を上記基板４の幅方向に１つだけ配置されるようにし、この押圧部材７３の配置位置を適宜選択することによって各プラテンローラＰ1 ，Ｐ2 が上記透明カバー２や上記発熱抵抗体４０を押圧する力を適宜調整することができる。すなわち、上記発熱抵抗体４０を上記透明カバー２よりも大きな力で押圧する場合には、上記基板２の幅方向の中心よりも一側部４２よりの部位を押圧するように上記押圧部材７３が配置され、より具体的な配置場所は、各プラテンローラＰ1 ，Ｐ2 のそれぞれが上記透明カバー２や発熱抵抗体４０を押圧する力の割合に応じて、また上記透明カバー２の傾斜角度などに応じて適宜選択される。
【００６２】
このように構成された画像処理装置９では、画像読み取り機能と画像記録機能を併有している。たとえば、原稿Ｄの画像を読み取り動作は、以下のようにして行われる。すなわち、まず、読み取り対象となる原稿Ｄを上記画像処理装置９の背面９０ａに形成された原稿搬入口９０Ａから投入する。この原稿Ｄは、紙送りローラ９３によって所定の搬送経路に沿って搬送され、原稿用プラテンローラＰ1 の配置位置にまで達する。そして、上記原稿用プラテンローラＰ1 と上記透明カバー２の間に挟持されるような恰好とされ、原稿用プラテンローラＰ1 の反時計周り方向の回転によって上記透明カバー２に密着して搬送される。このとき、上記光源３からの光によって原稿Ｄの読み取りラインＬが照明され、原稿Ｄからの反射光が上記レンズアレイ５によって集光された後に、イメージセンサチップ４ａ上に原稿Ｄの画像が結像される。このイメージセンサチップ４ａでは、受光された光の光量に応じて出力レベルのアナログ信号が出力されるが、この信号は図示しないコネクタからケーブルを介して画像読み書き一体ヘッドＸの外部に取り出されて、１ライン分の画像が読み取られたことになる。原稿ＤはプラテンローラＰ1 によって図中の矢印方向に１ライン分づつ次々に間欠的に送られ、あるいは連続的に送られて、同様な読み取り動作が次々と行われて原稿Ｄ全体の画像が読み取られる。なお、読み取りの終了した原稿Ｄは、紙送りローラ９４によって搬送されて上記画像処理装置９の前面９０ｂに形成された排出口９０Ｂから排出される。
【００６３】
一方、記録紙Ｋに画像を記録する場合には、上記画像処理装置９の前部側に配置され、ロール状とされた記録紙Ｋ（ロール紙Ｒ）が所定の搬送経路に沿って記録紙用プラテンローラＰ2 の配置位置にまで搬送される。記録紙Ｋは、上記記録紙用プラテンローラＰ2 と上記発熱抵抗体４０の間に挟持されるような恰好とされ、記録紙用プラテンローラＰ2 の時計周り方向の回転によって上記発熱抵抗体４０に密着して搬送される。そして、画像読み書き一体ヘッドＸの外部からは、上記各駆動ＩＣ８に画像データが入力される。これらの駆動ＩＣ８は、上記基板４に形成された配線パターン（図示略）によってコネクタと導通させられているため、外部からの画像データは、ケーブル、コネクタおよび配線パターンを介して上記各駆動ＩＣ８に入力される。各駆動ＩＣ８に入力された画像データに基づいて駆動すべき発熱素子を選択し、選択された発熱素子に通電してそれを発熱させる。これにより、記録紙Ｋには１ライン分の画像が記録される。記録紙Ｋは記録紙用プラテンローラＰ2 によって図中の矢印方向に１ライン分ずつ次々と間欠的に送られ、あるいは連続的に送られて、同様な記録動作が次々と行われ、紙送りローラ９５によって搬送されて最終的には上記画像処理装置９の前面９０ｂに形成された排出口９０Ｃから排出される。
【００６４】
ところで、上記した画像読み取り動作および画像記録動作は、それぞれ単独で行われることもあるが、これらの動作が同時に行われる場合がある。この場合には、原稿用プラテンローラＰ1 における原稿送りと記録紙用プラテンローラＰ2 による記録紙送りとが同時に行われることになるため、原稿Ｄと記録紙Ｋとが干渉して原稿Ｄや記録紙Ｋの送りをスムースに行うことができないといった事態が生じかねない。上記ケース１における上記プラテンローラＰ2 と対向する面１ａが傾斜とされて、上記ケース１の上部が上記プラテンローラＰ2 から退避した恰好とされているため、上記各プラテンローラＰ1 ，Ｐ2 の大きく離間させることができる。さらに、上記透明カバー２が上記プラテンローラＰ2 から離間した側が下方に沈んだ傾斜状に配置されていることから、これによっても上記各プラテンローラＰ1 ，Ｐ2 が大きく離間させられている。すなわち、透明カバー２が基板に対して平行になされている場合と比較すれば明らかなように、上記のようにして透明カバーを傾斜させた場合には、プラテンローラＰ1 の回転中心が、プラテンローラＰ2 からより大きく退避することとなり、各プラテンローラＰ1 ，Ｐ2 の間の距離を大きく確保することができる。このように、上記画像処理装置９では、上記原稿用プラテンローラＰ1 と記録紙用プラテンローラＰ2 の距離が大きく確保されているため、原稿Ｄと記録紙Ｋが干渉せずに原稿Ｄや記録紙Ｋの送りをスムースに行えるようになされている。
【００６５】
また、上記画像処理装置９では、上記発熱抵抗体４０に密着するようにして上記基板４の上面側にプラテンローラＰ2 が配置される。このため、図１６を参照して説明した従来の画像読み書き一体ヘッドＹ、すなわち上記ケース１の上方および下方のそれぞれに各プラテンローラＰ1 ，Ｐ2 が配置された画像処理装置と比較すれば、本実施形態の画像処理装置９では、その上下寸法を格段に小さくすることができる。
【００６６】
なお、上記画像処理装置９では、上記画像読み書き一体ヘッドＸがケース１が上記基板４から下方に突出するような恰好で、しかも上記記録紙用プラテンローラＰ2 の回転軸ｐを支点として回動自在に上記筐体９０内に組み込まれていたが、上記画像読み書き一体ヘッドＸを上記基板４から上方に上記ケース１が突出するような恰好で上記筐体９０内に組み込んでもよく、また上記画像読み書き一体ヘッドＸを必ずしも回動自在とする必要はない。もちろん、上記画像読み書き一体ヘッドＸを回動自在に上記筐体９０内に組み込む場合には、上記した手段以外によって上記画像読み書き一体ヘッドＸを回動自在としてもよい。
【００６７】
また、上記原稿の送りや記録紙の送り方向は、すなわち上記各プラテンローラＰ1 ，Ｐ2 やロール紙Ｒあるいは画像読み書き一体ヘッドＸの配置などは、上述した実施形態のものには限定されず、たとえば図９ないし図１５に例示したように種々に変更可能である。
【００６８】
図９に示した画像処理装置９では、上記基板４から上方側に上記ケース１が突出し、基板４のはみ出し部分（一側部４２）が上記画像処理装置９の前面９０ｂ側に突出するような恰好で上記画像読み書き一体ヘッドＸが組み込まれている。そして、上記原稿用プラテンローラＰ1 に隣接して、これよりさらに前面９０ｂ側にロール紙Ｒが配置されている。すなわち、上述した実施形態において画像読み書き一体ヘッドＸの上下を反転させた状態で上記画像読み書き一体ヘッドＸが上記筐体９０内に組み込まれた恰好とされている。この構成では、上記ロール紙Ｒの下部側から記録紙Ｋが引き出され、これが上記画像処理装置９の上面９０ｃにおける前部よりの部位から排出されるようになされている。一方、原稿Ｄは、たとえば上記画像処理装置９の背面９０ａ側あるいは筐体９０の上面９０ｃ後部側から投入され、記録紙Ｋに隣接して設けられた排出口から排出される。また、図１０に示したように、各プラテンローラＰ1 ，Ｐ2 、ロール紙Ｒ、画像読み書き一体ヘッドＸの配置を図９に示したものと同様とし、ロール紙Ｒの上部から記録紙Ｋが引き出されるようにして、印字の終了した記録紙Ｋが上記画像読み書き一体ヘッドＸの前面９０ｂから排出されるように構成してもよい。
【００６９】
図１１に示すように、図９に示した構成において、各プラテンローラＰ1 ，Ｐ2 、ロール紙Ｒ、および画像読み書き一体ヘッドＸの配置を前後反転させてもよい。この場合には、たとえばロール紙Ｒが上記画像処理装置９の後部側に配置され、ロール紙Ｒの下部から記録紙Ｋが引き出される。そして、記録紙用プラテンローラＰ2 が時計周り方向に回転して印字の終了した記録紙Ｋが上記筐体９０の上面９０ｃにおける後方側から排出される。一方、記録紙Ｋの排出部位に隣接した部位から原稿Ｄが搬入され、原稿用プラテンローラＰ1 が時計周り方向に回転して上記画像処理装置９の前面９０ｂから原稿Ｄが排出される。もちろん、図１２に示したようにロール紙Ｒの上部から記録紙Ｋを引き出すように構成してもよい。この構成において、図１３に示すように記録紙用プラテンローラＰ2 を反時計周り方向に回転させて記録Ｋを上記筐体９０の背面９０ａ側から搬出するように構成することもできる。
【００７０】
また、上記画像読み書き一体ヘッドＸとロール紙Ｒとを比較的離して配置してもよい。たとえば図１４に示したように、ロール紙Ｒを上記筐体９０の前面９０ｂ側に配置するとともに、上記画像読み書き一体ヘッドＸを中央部ないし背面９０ａ側に配置してもよい。同図に例示した構成では、ケース１が基板４の上方に突出し、はみ出し部分（一側部４３）が背面９０ａ側に突出するようにして上記画像読み書き一体ヘッドＸが筐体９０内に組み込まれており、原稿用プラテンローラＰ1 が反時計周り方向に回転して上記筐体９０の上面９０ｃにおける前部側から後部側に原稿Ｄが送られるようになされている。一方、記録紙用プラテンローラＰ2 が時計方向周りに回転して記録紙Ｋが原稿Ｄに排出部位に隣接した部位から排出されるようになれている。
【００７１】
さらに、図１５に示したように、画像読み取り部が本体９２に対して分離可能構成され、画像読み取り部が、いわゆるハンディスキャナＨとして構成されたような画像処理装置９についても本願発明を適用可能である。この場合には、たとえばハンディスキャナＨ内に画像読み書き一体ヘッドＸを組み込み、各プラテンローラＰ1 ，Ｐ2 やロール紙Ｒは、本体９２またはハンディスキャナＨのいずれに組み込んでもよい。もちろん、上記したいずれの画像処理装置９においても、各図に示された筐体９０の底面９０ｄが壁面に沿うようにして起立状に配置される、いわゆる壁掛けタイプとして使用することもできる。
【図面の簡単な説明】
【図１】本願発明の画像読み書き一体ヘッドの一例を表す分解斜視図である。
【図２】上記画像読み書き一体ヘッドの断面図である。
【図３】上記画像読み書き一体ヘッドの変形例の断面図である。
【図４】上記画像読み書き一体ヘッドのその他の変形例の断面図である。
【図５】上記画像読み書き一体ヘッドを組み込んだ本願発明の画像処理装置を一例を表す断面図である。
【図６】上記画像処理装置の要部拡大断面図である。
【図７】上記画像処理装置の要部拡大図である。
【図８】上記画像処理装置の変形例を表す要部拡大断面図である。
【図９】上記画像処理装置における原稿および記録紙の搬送方向の変形例を表す概略断面図である。
【図１０】上記画像処理装置における原稿および記録紙の搬送方向の変形例を表す概略断面図である。
【図１１】上記画像処理装置における原稿および記録紙の搬送方向の変形例を表す概略断面図である。
【図１２】上記画像処理装置における原稿および記録紙の搬送方向の変形例を表す概略断面図である。
【図１３】上記画像処理装置における原稿および記録紙の搬送方向の変形例を表す概略断面図である。
【図１４】上記画像処理装置における原稿および記録紙の搬送方向の変形例を表す概略断面図である。
【図１５】上記画像処理装置における原稿および記録紙の搬送方向の変形例を表す概略断面図である。
【図１６】従来の画像読み書き一体ヘッドの一例を表す断面図である。
【符号の説明】
Ｘ  画像読み書き一体ヘッド
１  ケース
２  透明カバー
３  光源
４  基板
４ａ  イメージセンサチップ（受光素子）
４ｂ  発熱素子
５  レンズアレイ（光学レンズとしての）
９  画像処理装置
１０  上部開口（ケースの）
１５  下部開口（ケースの）
４２  一側部（基板の）
４２  他側部（基板の）
４８  フランジ片（基板に取り付けられた）
４８ａ  切欠（フランジ片の）
７１，７２，７３  押圧部材（押圧力調整手段を構成する）
９０  筐体
９１  開口（筐体の）
９２  蓋体（筐体の）
Ｄ  原稿
Ｋ  記録紙
Ｌ  読み取りライン
Ｐ1   原稿用プラテンローラ
Ｐ2   記録紙用プラテンローラ
ｐ  回転軸（記録用プラテンローラの）
【図１】
0003798910.tif 000002
【図２】
0003798910.tif 000003
【図３】
0003798910.tif 000004
【図４】
0003798910.tif 000005
【図５】
0003798910.tif 000006
【図６】
0003798910.tif 000007
【図７】
0003798910.tif 000008
【図８】
0003798910.tif 000009
【図９】
0003798910.tif 000010
【図１０】
0003798910.tif 000011
【図１１】
0003798910.tif 000012
【図１２】
0003798910.tif 000013
【図１３】
0003798910.tif 000014
【図１４】
0003798910.tif 000015
【図１５】
0003798910.tif 000016
【図１６】
0003798910.tif 000017